(57)【要約】  色のような少なくとも一つの画像特性の連続性が、画像の作成、処理及び配給を通して、その特性を基準枠と相互に関連付けることによって保たれる。画像記録のような第１の処理操作において、その操作中に調整される画像の少なくとも一つの特性における少なくとも一つの変更を示す第１の画像決定リストが生成される。その操作の完了時に、画像は、その後の操作のための基準の役割を果たす映写フィルムをエミュレートするように変換される。このようにして、第２の画像処理操作中に、エミュレートされた映写フィルムを用いて、画像の少なくとも一つの特性を更に調整するように、第１の画像決定リストを変更することができる。
2009527189.tif 000002
【特許請求の範囲】
【請求項１】
（ａ）第1の画像処理操作中に調整される画像の少なくとも一つの特性における少なくとも一つの変更を示す第１の画像決定リストを生成する工程；
（ｂ）映写フィルムをエミュレートするように前記画像を変換する工程；及び
（ｃ）第2の画像処理操作中に前記エミュレートされた映写フィルムに従って前記画像の前記少なくとも一つの特性を更に調整するように前記第１の画像決定リストを変更する工程；
を含む方法。
【請求項２】
工程（ｂ）及び工程（ｃ）を継起する画像処理操作について繰り返す工程を更に含む、請求項１に記載の方法。
【請求項３】
前記第１の画像処理操作は画像記録を含む、請求項１に記載の方法。
【請求項４】
前記画像記録の工程はデジタル画像記録を含む、請求項３に記載の方法。
【請求項５】
前記画像記録の工程はフィルム画像記録を含む、請求項３に記載の方法。
【請求項６】
前記第２の画像処理操作は記録された画像を閲覧する工程を含む、請求項１に記載の方法。
【請求項７】
前記継起する画像処理操作は画像編集の工程を含む、請求項２に記載の方法。
【請求項８】
前記継起する画像処理操作はデジタル画像の試写を含む、請求項２に記載の方法。
【請求項９】
前記継起する画像処理操作は視覚特殊効果の作成を含む、請求項２に記載の方法。
【請求項１０】
前記継起する画像処理操作は仕上げられた視聴覚ファイルのデジタル形式における制作を含む、請求項２に記載の方法。
【請求項１１】
前記継起する画像処理操作はデジタル多目的ディスクの原盤作成を含む、請求項２に記載の方法。
【請求項１２】
第１の画像決定リストを生成する前記の工程は画像色における変更を示す第１の色決定リスト（ＣＤＬ）を生成する工程を含む、請求項１に記載の方法。
【請求項１３】
前記第１の画像決定リストを変更する前記の工程は前記第１の色決定リストを変更する工程を含む、請求項１２に記載の方法。
【請求項１４】
第１の画像処理操作中に調整される画像の少なくとも一つの特性における少なくとも一つの変更を示す第１の画像決定リストを入力する画像決定リストデータ入力装置；並びに
映写フィルムをエミュレートするように前記画像を変換する第１の処理手段；及び
第２の画像処理操作中に前記エミュレートされた映写フィルムに従って前記画像の前記少なくとも一つの特性を更に調整するように前記第１の画像決定リストを変更する第２の処理手段；
を含む装置。
【請求項１５】
前記第１の処理手段は少なくとも一つの参照表を含む、請求項１４に記載の装置。
【請求項１６】
前記第１の処理手段は色調整を実行する、請求項１４に記載の装置。
【請求項１７】
前記第２の処理手段は色調整を実行する、請求項１４に記載の装置。
【請求項１８】
前記第２の処理手段は画像の整形及び色補正を実行する、請求項１４に記載の装置。
【発明の詳細な説明】
【技術分野】
【０００１】
本発明は、映画やテレビ番組のような視聴覚番組を制作する際の異なる局面を通じて、色のような、少なくとも一つの画像パラメタの整合性を保つ方法に関する。
【背景技術】
【０００２】
映画やテレビ番組のような視聴覚番組の提供者は、一般に、よく知られた作業の流れに従い、かかる視聴覚番組を作成し、処理し、視聴者に配給する。番組の内容を作成する過程は、一般に、画像及び音声の記録を伴う。ただし音声は画像の記録後に追加及び／又は変更される場合もある。従来は、動画フィルムカメラを用いて画像を記録していた。フィルムカメラは現在でもよく好まれる装置だが、Thomson  Grass  Valley  “Viper”  FilmStream  Cameraのようなデジタル映像カメラも人気を増やしている。フィルムカメラで記録した画像は、視覚効果を加えるなどの後続のデジタル処理のために、デジタル化しなければならないが、デジタル映像カメラを使用すれば、その手間を省けるという利点がある。
【０００３】
番組の内容を作成する過程では、製作責任者及び／又は撮影監督は、普通毎日、記録画像の全てか、少なくともその一部を見直したがるのが典型的である。「デジタルデイリーズ」又は「下見用映像」という語は、普通、そのように毎日見られる記録画像のことを言う。フィルムの場合、記録画像は通常、Thomson  Grass  Valley  “Spirit”のようなテレシネ装置に送られる。テレシネ装置とは、フィルムを走査し、デジタル出力ファイル又はデジタル映像信号を作成するものである。デジタル出力ファイル又はデジタル映像信号は、保存され、テレビやデジタル映写機で表示される。かかるデジタル出力ファイルは、表示に先立って、まず処理を受けることもある。フィルムを走査する過程で、色彩専門家が色補正を施すことができる。これにより色決定リスト（ＣＤＬ）が生成される。ＣＤＬは通常、テレシネ装置のデジタル出力ファイルに付随するメタデータとなる。かかるメタデータは、色彩専門家が行った色補正の結果を示すことになる。当然のことながら、Thomson  Grass  Valley  “Viper”のようなデジタル映像カメラは、記録画像を表すデジタル出力ファイルを生成するので、テレシネ装置に出力ファイルを送る必要は無い。テレシネ装置からのデジタル出力ファイルと同様に、デジタル映像カメラからのデジタル出力ファイルは、記録画像を表すデジタルファイルであるデジタルデイリーズを作成する過程で、通常、色補正を受ける。
【０００４】
これまで、デジタルデイリーズを作成する過程で生成されたＣＤＬは、デジタル中間ファイルの生成などの、それ以降の処理操作で役に立つことは、まずめったになかった。現在のところ、視聴覚番組の作成、処理、仕上げに関する作業の流れにおける継起する処理操作のそれぞれは、異なるＣＤＬを生成する。それぞれのＣＤＬは、それ以前の処理操作中に作成されたＣＤＬとは、まずほとんど何の関係も持たない。継起する処理操作に付随する複数のＣＤＬの間に関係を欠く理由の一つは、それぞれの処理操作について生成されるＣＤＬに対して、首尾一貫した基準枠（基礎露出及び色、並びに最終的に意図する表示装置のエミュレーション）を規定できないことである。
【発明の開示】
【発明が解決しようとする課題】
【０００５】
従って、画像処理方法に対するある要求が存在する。すなわち、ある処理操作に付随するＣＤＬのような（ただしこれに限定されない）画像処理情報を、後続する処理操作に引き継がせることを可能とする方法に対する要求である。
【課題を解決するための手段】
【０００６】
端的には、本願の原理の実施例によれば、ある画像処理操作に関連する少なくとも一つの画像決定リストを、少なくとも一つの後続する処理操作に引き継がせることを可能とする、画像情報を処理する方法を提供する。本願の原理の方法は、第１の画像処理操作中に調整される少なくとも一つの画像特性における変更を示す第１の画像決定リストを生成して開始する。例えば、第１の画像決定リストは、画像処理操作中に行われる色の調整を示す色決定リスト（ＣＤＬ）を含みうる。この操作は最終的に意図する表示媒体をエミュレートしつつ画像を表示することを含みうる。第２の画像処理操作中に、第１の画像決定リストは変更を受け、第１工程で用いられた最終的に意図する表示媒体をエミュレートすることに従って、少なくとも一つの画像特性をさらに調整する。フィルムの場合は、フィルムを再走査しても、標準化された較正手続きを用いて、元の走査の符号化値に対する濃度と色の関連を同一に保たねばならない。
【０００７】
本願の原理の方法により、ＣＤＬのように、個々の画像処理操作中に作成される画像決定リストを、後続する処理操作中に引き継がせることが容易に可能となる。最終的に意図する表示媒体をエミュレートしながらの第１の処理操作に後続する画像の変換、及び後続する画像の調整を行う基礎としての同じエミュレーション（再走査が必要ならば標準化された較正手続きも）は、それぞれの処理操作中に作成される画像決定リストを正規化するための機構を提供する。このように、画像決定リストは後続する画像処理操作において、画像の調整を追跡することになる。
【発明を実施するための最良の形態】
【０００８】
発明を実施するための最良の形態を次の実施例に示す。
【実施例】
【０００９】
図１は、本願の原理の好適な実施例による、視聴覚作品の制作に関する作業の流れ１０の要素を示す。図１に示されている通り、視聴覚作品は予め記録されたＤＶＤ（デジタル多目的ディスク、しばしばデジタル映像ディスクとも呼ばれる）の形を取る。ＤＶＤは、映画やテレビ番組のような、少なくとも一つの上映作品を含む。予め記録されたＤＶＤの代わりに、又はそれに加えて、視聴覚番組は劇場での上映のための、デジタル又はアナログ形式の映画の形を取ることもできる。
【００１０】
作業の流れ１０は、画像記録のような、内容の作成から始まる。これは工程１２のデジタル制作において、Thomson  Grass  Valley  “Viper”  FilmStream  Cameraのようなデジタル画像記録装置を一つ以上用いて行う。画像記録は、工程１４のフィルム制作において、一つ以上のフィルムカメラを用いて行うこともできる。実際、デジタル制作とフィルム制作の両方を行う場合もある。工程１２又は１４のどちらかで、同時に音声情報の記録を行うこともできる。画像記録と同時の音声記録の代わりに、又はそれに加えて、音声の記録及び／又は処理は、後続の処理操作中で行うこともできる。
【００１１】
工程１２のデジタル制作において、記録された画像に対する予備的な調整を行うこともある。それは例えば色の調整だが、これに限定されない。色の調整は、デジタル画像記録装置のデジタル映像出力の信号／ファイルを、色補正器（図示されていない）を通して送ることにより行われる。この方法の詳細を次に述べる。色の調整の場合は、デジタル出力の信号／ファイルを、色補正器を通して送信することにより、色決定リスト（ＣＤＬ）を生成する。ＣＤＬは実施された色の調整を反映するメタデータの形式を取る。
【００１２】
工程１４のフィルム制作の場合、フィルムは典型的にはThomson  Grass  Valley  “Spirit”フィルム走査器のようなテレシネ装置（図示されていない）に送られる。テレシネ装置は基準フィルムに合わせて較正されており、継起する走査の併行精度を保証する。テレシネ装置に送られたフィルムからデジタル出力の信号／ファイルが生成される。その詳細を次に述べる。工程１２のデジタル制作において生成されたデジタル出力の信号／ファイルが色の補正を受けられるのと全く同様に、工程１４においてテレシネ装置が生成したデジタル出力の信号／ファイルも、色補正器を通して送ることができる。これにより、実施された色の調整を示すＣＤＬを生成する。
【００１３】
工程１２又は１４に続いて、工程１６においては、通常毎日、内容の作成に責任を持つ製作責任者及び／又は撮影監督のような人は、しばしば記録画像の全てか一部を閲覧したがる。日々見られることになる記録画像の部分は「デイリーズ」又は「下見用映像」と呼ばれる。工程１２のデジタル制作において、デジタル画像記録装置で記録された画像の場合、工程１６におけるデイリーズの閲覧は、（画像、例えば色、の補正があるならばその後の）デジタル出力ファイルを、テレビ表示器又はデジタル映写機などの表示装置に単に送るだけで行うことができる。フィルム製作の場合、工程１６におけるデイリーズの閲覧は、フィルム走査器からのデジタル出力の信号／ファイルを（画像、例えば色、の補正があるならばその後）表示装置に送ることで行う。
【００１４】
工程１６のデイリーズの閲覧中で、製作責任者及び／又は撮影監督は、以前に工程１２又は１４において実施された色の補正のような画像の調整に加えて、さらなる画像の調整を行いたいかもしれない。典型的には、色の調整は色補正器（図示されていない）を用いて実施できる。従来は、工程１２及び１４において第１に得られたＣＤＬは、工程１６には渡されなかったので、それ以降のいかなる処理操作にも渡されなかった。ＣＤＬを継起する処理操作に引き渡せないのは、共通の基準枠が存在しないためである。例えば、工程１２及び１４の完了時に生成されるデジタル映像出力の信号／ファイルは、ある型のデジタル出力装置で表示される際に、工程１６において閲覧される色補正されたデイリーズと同じ表象であるとは限らない、つまり同じく見えるとは限らない。これは、第１に得られたＣＤＬが、工程１６におけるデイリーズの閲覧に関連するＣＤＬに対応して調整されたとしても同様である。
【００１５】
次に詳細に述べるように、本願の原理の方法が前述の欠点を克服するのは、継起する処理操作中に作成されるＣＤＬに対して共通の基準枠を提供することによる。工程１２及び１４のそれぞれの中で作成されるデジタル出力の信号／ファイルは、次に述べる参照表（ＬＵＴ）を経由して変換を受ける。これにより「標準」映写フィルムをエミュレートする画像のデジタル出力の信号／ファイルを生成する。従って、工程１２及び１４のそれぞれの中で作成されるＣＤＬは、エミュレートされた映写フィルムと相関するようになる。
【００１６】
工程１６において、色補正されたデジタル出力の信号／ファイルも同様に変換を受け、映写フィルムをエミュレートする。さらに、表示に供される装置とは、デジタルテレビやデジタル映写機などだが、これは較正装置を含む。従って、映写フィルムをエミュレートする画像のデジタル出力の信号／ファイルは、表示装置にかかわらず、同一の表象を持つことになる。これにより、工程１６におけるデイリーズの閲覧に関連するＣＤＬを、工程１２又は１４において得られる第１のＣＤＬを所定の方法で変更することにより、得ることができる。言い換えれば、工程１２又は１４において得られたＣＤＬが、後続する調整の出発点の役割を果たすことができる。
【００１７】
工程１６において、デジタル映像出力の信号／ファイルも同様に変換を受け、映写フィルムをエミュレートする。かかる変換の後に生成されるデジタル出力の信号／ファイルは、工程１８で実行されるオフライン編集操作への入力の信号／ファイルの役割を果たす。工程１８において、受け取った入力の信号／ファイルは、典型的には、画像編集、音声の追加、及び／又は圧縮を含む（ただしこれらに限定されない）後続の処理を受ける。前段の画像処理操作と同様に、デジタル映像出力の信号／ファイルは、工程１８の最後で映写フィルムをエミュレートする変換を受けてから、工程２０のデジタル試写が受け取る。工程２０においては試写のスクリーニングが行われる。
【００１８】
工程２０の試写のスクリーニング操作が同様に入力として受け取るのは、工程２２において作成された視覚効果である。実際には、工程１２及び１４において生成されたデジタル映像出力の信号／ファイルは、第１のＣＤＬ及び三次元のＬＵＴと共に特殊効果施設に送られる。このＬＵＴにより、工程２２における特殊効果の作成の過程で完成したデジタル出力の信号／ファイルを、映写フィルムをエミュレートするように変換することが可能となる。工程２０において、工程２２の完了時点で作成された特殊効果と、工程１８においてオフライン編集操作の後で作成されたデジタル出力の信号／ファイルが、整形を受ける。かかる整形は、映画フィルムを作成するために原カメラネガフィルム（ＯＣＮ）を分割し再配列する従来の手法に対応する。工程２０の試写のスクリーニングにおいて、一人以上の色彩専門家が、以前の処理操作工程において生成されたＣＤＬを用いて、最後に色の調整を行うことになる。これが、最終的な色調整のための出発点となる。ＬＵＴを用いて、デジタル出力の信号／ファイルを、各処理操作で、映写フィルムをエミュレートするように変換するので、このことが可能になる。最終的な色調整に引き続き、主ＣＤＬは保存され、補正が施された新しいファイルがＬＵＴ経由で演出と変換を加えられる。これにより、工程２０の完了時点で、スクリーニングのために映写フィルムをエミュレートする画像の出力ファイルが出来上がる。
【００１９】
工程２２において生成された特殊効果に加えて、工程２０において生成された変換済みのデジタル出力の信号／ファイルが、工程２４においてデジタル中間ファイル（たとえばデジタル視聴覚番組）を作成する手続きへの入力の役割を果たす。工程２４においては、受け取ったデジタルの信号／ファイルはさらに整形される。更に、工程２０において作成された主ＣＤＬがデジタル中間ファイルの色補正システム（図示されていない）に読み込まれる。デジタル中間ファイルの色補正システムは、工程２０における整形のための色補正システムと同じ形を取ることができる。記録画像が工程１４のフィルム制作から始まったものであるならば、その原ネガフィルムは通常２Ｋないし４Ｋのより高い解像度で較正された走査を受けることになる。この、より高い解像度のデジタル映像出力ファイルは、整形され、デジタル中間ファイルの色補正システムに読み込まれる。これにより、最終的な色調整及びその後の演出が行われ、この間に最終的な色調整が適用される。前述と同様に、かかる色調整中に作成された主ＣＤＬは保存される。工程２４において作成されたデジタル映像出力の信号／ファイルは、ＬＵＴを経由して、映写フィルムをエミュレートする変換を受ける。これは、インターネット、衛星通信、ディスクのような格納媒体による物理的な配送など、様々な方法で、一つ以上のデジタル映画館に配給できる。
【００２０】
工程２４の完了時点で生成されるデジタル映像出力ファイルは、また、工程２６において家庭用映像のデジタル多目的ディスク（ＤＶＤ）を作成するための最終デジタル中間ファイル（デジタル原盤）の役割も果たす。工程２６において、一般消費者向け表示機器用のさらなる色調整を行うこともできる。前述と同様に、最終的な調整の後に生成されるデジタル出力ファイルは、映写フィルムをエミュレートする変換を受ける。最終的な色調整が施された状態で、ＨＤ（高解像度）又はＳＤ（標準解像度）への下方変換も行われる。
【００２１】
図２は、図１の工程１２におけるデジタル制作のための作業の流れの要素を示すブロック概略図である。図２に示す通り、少なくとも一つのデジタル画像記録装置としてのデジタルカメラ２００が、デジタル形式（例えばデジタル映像のデータの流れ）で画像を記録する役割を果たす。この例示的な実施例では、デジタル画像記録装置は一つ以上のデジタルテレビカメラを含む。例えば、Thomson  Grass  Valley  “Viper”  FilmStream  Cameraを含む。格納装置としてのディスクパック２０２は、画像記録装置としてのデジタルカメラ２００によって生成されたデジタル映像出力の信号／ファイル、並びに、時間符号の知識、同期用の信号／ファイル及びメタデータを格納する。格納装置としてのディスクパック２０２は典型的にはアレイに配列された一つ以上の磁気ディスクドライブを含む。例えば、格納装置としてのディスクパック２０２は、Thomson  Grass  Valley  “Venom”格納パックを含むことができる。実際には、時間符号の知識、同期用の信号／ファイル及びメタデータは、デジタル画像記録装置としてのデジタルカメラ２００によって生成されるデジタル映像の信号／ファイルの帯域とは別の経路（ＩＰ）で格納装置としてのディスクパック２０２に伝達される。
【００２２】
制作システム２０６は、時間符号の知識、同期用の信号／ファイル及びメタデータを、デジタル画像記録装置としてのデジタルカメラ２００より受け取り、それを、デジタル音声記録装置２０８によって記録される音声に埋め込む。制作システム２０６は、また、後述するようにこの後生成される色決定リスト（ＣＤＬ）及び／又は自動連関使用可能性データ（ＡＬＥ）を収集する。これは、他のシステム（図示されていない）で使用するために、後で書き出すためである。実際には、デジタル音声記録装置２０８は、デジタル画像記録装置としてのデジタルカメラ２００が記録する画像情報に関連した音声を記録する。デジタル音声記録装置２０８からの音声は、記録された画像を表現するデジタル出力の信号／ファイル、並びに、時間符号の知識、同期用の信号／ファイル及びメタデータと共に、格納装置としてのディスクパック２０２に格納される。
【００２３】
制作システム２０６は、時間符号の知識、同期用の信号／ファイル及びメタデータを埋め込むことに加え、色決定リスト（ＣＤＬ）及び／又はアビッドログ交換（ＡＬＥ）データのように、作業者が鍵盤２１０を通して入力する外部情報も埋め込むことができる。典型的には、鍵盤２１０は、制作システム２０６に、汎用シリアルバス（ＵＳＢ）接続を用いて結合する。他の周知のプロトコルも、鍵盤２１０を制作システム２０６に接続するために用いることができる。
【００２４】
処理システム２１２は、格納装置としてのディスクパック２０２からのデジタル出力の信号／ファイルを、随伴する時間符号の知識、同期用の信号／ファイル及びメタデータを用いて処理する。加えて、処理システム２１２は、色の調整を可能にするために、ＣＤＬ入力装置としてのＣＤＬパネル２１４から得たＣＤＬデータを利用することができる。実際には、通常「色彩専門家」と呼ばれる作業者が、ＣＤＬ入力装置としてのＣＤＬパネル２１４を用いて、記録された画像の色に対する調整を行うことになる。かかる調整により、製作責任者及び／又は撮影監督が、記録された映像から制作される視聴覚番組の最終版に、対応する色の調整がどのように影響を与えうるかを調べることが可能となる。色以外の画像パラメタに対する調整も、ＣＤＬ入力装置としてのＣＤＬパネル２１４に類似の入力装置（図示されていない）を用いて、同様に行うことができる。
【００２５】
処理システム２１２は、典型的には、一つ以上のプログラムされた計算機を含む。この計算機は、一つ以上の参照表（ＬＵＴ）を含むか、利用することができる。ＬＵＴは、デジタル画像記録デバイスが生成したデジタル出力の信号／ファイルに含まれる記録画像情報を、映写フィルムをエミュレートするように変換することができる。これは前述の通りである。ＬＵＴは動的に変化しうる。とりわけ、ＣＤＬ入力装置としてのＣＤＬパネル２１４経由で入力される色の調整に反応して変化しうる。このように、処理システム２１２は、デジタル出力の信号／ファイルに含まれる記録画像を、映写フィルムをエミュレートするようにも、また、記録画像の全体的な表象を変更するようにも、変換することができる。これは記録画像の色及び／又は他の画像特性を変更することによってなどで行う。
【００２６】
処理システム２１２が変換したデジタル映像出力の信号／ファイルは、典型的には、映像表示器などの表示装置としての画像表示器２１６に表示される。最適な画像品質を保証するために、自動較正システム２１８は、例えば色、線形性、収束及び明暗などの様々な設定に関して、表示装置としての画像表示器２１６を定期的に較正することになる。
【００２７】
図３は、図１の工程１６におけるデイリーズの閲覧に関連して、即席のデイリーズを作成するための作業の流れの要素を示すブロック概略図である。図３に示す通り、少なくとも一つの格納設備３００（典型的にはストーレジ域ネットワーク（ＳＡＮ）の形態である）が受け取るのは、デジタル映像出力の信号／ファイルとしての、ディスクパックからのデジタルファイル３０１である。これは、図２の処理システム２１２が映写フィルムをエミュレートするように変換した後のものである。好適には、ＳＡＮ３００は、シリアルＡＴアタッチメント（ＳＡＴＡ）を利用して他の装置と接続する。ＳＡＮ３００に接続されたアーカイブシステム３０２は、ＳＡＮに格納されたデジタル出力の信号／ファイルの全部又は一部を含む、一つ以上の配送物を作成することができる。実際には、かかる配送物は、磁気テープ又は、可搬型ハードディスクドライブのような他の可搬型格納媒体の形式を取り、視覚特殊効果（ＶＦＸ）施設のような外部事業者向けに持ち出すための情報を格納する。
【００２８】
図３のＳＡＮ３００は、デジタル音声を音声転送局３０４から受け取ることもできる。一つ以上の音源としての音声産出器（ＤＡＴ、ＤＥＶＡ等）３０６が、音声転送局３０４に音声を供給する。音源としての音声産出器（ＤＡＴ、ＤＥＶＡ等）３０６は、一つのみを図示しているが、実際は、デジタル音声録音機や、音声をデジタル形式で提供することのできる他の装置を含むことができる。音声転送局３０４により、デジタル音声を、ＳＡＮ３００に格納する前に編集することができる。音声転送局３０４は、撮影後工程の操作（音声の補正及び／又は調整を含むが、これに限定されない）を行うための種々の異なる型のシステムのいかなるものをも含むことができる。この図示された実施例では、音声転送局３０４は、Thomson  Grass  Valley  “Bones”撮影後工程ソフトウェアフレームワークの一部を含む。音声転送局３０４はデジタル音声の編集、補正、及び／又は操作を可能とするソフトウェアでプログラムされた、一つ以上の処理装置を含む。
【００２９】
ＳＡＮ３００に格納されたデジタル出力の信号／ファイルは、一つ以上の視聴覚番組をデジタル形式で含み、処理システムとしての「デイリーズ作成パッケージ」システム３０８経由で処理される。図２の処理システム２１２と同様に、図３の処理システムとしての「デイリーズ作成パッケージ」システム３０８は、デジタル出力の信号／ファイルを変換するための一つ以上のＬＵＴを含むので、これら出力ファイル等に含まれる画像は映画の映写フィルムの見た目をエミュレートする。ＬＵＴはまた、一つ以上の画像特性の表象を変更できる。画像特性とは例えば色だが、この場合は図２の制作システム２０６から書き出された、色決定リスト（ＣＤＬ）及び／又は自動連関使用可能性（ＡＬＥ）情報３１７に従って行われる。実際には、制作システムとしての「デイリーズ作成パッケージ」システム３０８はThomson  Grass  Valley  “Bones”撮影後工程ソフトウェアフレームワークを含む。“Bones”撮影後工程ソフトウェアフレームワークのような、単一の撮影後工程ソフトウェアフレームワークが、図３の処理システムとしての「デイリーズ作成パッケージ」システム３０８及び音声転送局３０４の双方の機能を実行することができる。
【００３０】
処理システムとしての「デイリーズ作成パッケージ」システム３０８は、一つ以上の視聴覚番組をデジタル形式で含むと共に、時間符号の知識、同期用の情報及びメタデータも付随する、デジタル出力の信号／ファイルを生成し、これらは種々の宛先に分配される。視聴覚番組は、処理システムとしての「デイリーズ作成パッケージ」システム３０８が生成するデジタル出力の信号／ファイルに含まれ、典型的には映写フィルムをエミュレートする変換を既に受けている。処理システムとしての「デイリーズ作成パッケージ」システム３０８は、視聴覚番組を含むデジタル出力の信号／ファイルを、録音機としてのスペクトラルレコーディング録音機３１０に供給することもできる。また、処理システムとしての「デイリーズ作成パッケージ」システム３０８は、JPEG  2000、Avid  （商標）  Media、Apple  （商標）  Final  Cut  Pro、ＤＶＤ画像、その他の様な、種々の形式３１２のうちの、いかなる一つ以上にも、デジタル出力ファイルを出力することができる。更に、処理システムとしての「デイリーズ作成パッケージ」システム３０８は、一つ以上の内部参照表を用いることができ、これにより、デジタル出力の信号／ファイルに含まれる対数系の映像を線形系の映像に変換し、また、映写フィルムのエミュレーションを適用して映像表示器又は観察器のような表示システムとしての画像表示器及び観察器３１４に表示するための映像を作成する。自動較正システム３１６は自動較正システム２１８と類似であり、表示システムとしての画像表示器及び観察器３１４を較正する役割を果たす。
【００３１】
図４は、図１の工程１４のフィルム制作において作成されたフィルムの画像から、デジタルデイリーズを作成するための作業の流れの要素を示すブロック概略図である。図４の作業の流れは図３の作業の流れと共通な要素を多く含んでいるので、同様の参照番号は、図３の同様の要素を参照する。図１の工程１４のフィルム制作において作成されたフィルム画像をデジタル出力の信号／ファイルに変換するために、図４の作業の流れはThomson  Grass  Valley  “Spirit”フィルム走査器のようなテレシネ装置４００を用いて原カメラネガフィルム（ＯＣＮ）の巻としての現像済みの完全なＯＣＮの巻４０１を走査する。Thomson  Grass  Valley  “Spirit”フィルム走査器は、２Ｋと４Ｋの両方の解像度を提供するので、一つの走査されたフィルムから、一つは４Ｋの解像度を持ち、もう一つは２Ｋの解像度を持つ、二つの別々のファイルを生成することができる。実際には、走査器としてのテレシネ装置４００は３０フレーム毎秒（ｆｐｓ）で動作する。これは、画像が通常ＯＣＮの巻としての現像済みの完全なＯＣＮの巻４０１に記録される速度である２４ｆｐｓよりも典型的に速いので、走査器は、フィルム露光速度に関して測定される実時間の速度よりも速く動作できる。
【００３２】
走査器としてのテレシネ装置４００は、１０ビットの高精細度シリアルデータインターフェース（ＨＤ  ＳＤＩ）を持ち、デジタル出力の信号／ファイルを、４：４：４の対数形式で出力する。これは受信（例えば取り込み）局としてのフィルム取り込み局４０２（典型的には、Thomson  Grass  Valley  “Bones”撮影後工程ソフトウェアフレームワークの一部）で受信される。実際には、取り込み局としてのフィルム取り込み局４０２はまた、走査中の特定のＯＣＮの巻としての現像済みの完全なＯＣＮの巻４０１を識別する鍵符号を走査器としてのテレシネ装置４００から受け取る。受信局としてのフィルム取り込み局４０２は、デジタル出力の信号／ファイルを走査器としてのテレシネ装置４００より収集し、ＳＡＮ３００に転送する。これにより、処理システムとしての「デイリーズ作成パッケージ」システム３０８が更なる処理を行うことが可能になる。このことは図３のところで前述の通りである。処理部としての「デイリーズ作成パッケージ」システム３０８は、走査器としてのテレシネ装置４００で生成され、ＳＡＮ３００に格納されたデジタル出力の信号／ファイルを受け取ることに加えて、ＳＡＮ３００に格納された音声ファイルも受け取る。その前にＳＡＮ３００は、音源としての音声産出器（ＤＡＴ、ＤＥＶＡ等）３０６の一つから受け取った音声ファイルを処理した音声転送局３０４から、音声ファイルを受け取っている。また、前述の通り、ＳＡＮ３００に接続されたアーカイブシステム３０２は、ＳＡＮに格納されたデジタル出力の信号／ファイルの全部又は一部を含む、一つ以上の配送物を作成することができる。
【００３３】
処理システムとしての「デイリーズ作成パッケージ」システム３０８は、画像表示器又は観察器としての画像表示器及び観察器３１４に表示される一つ以上の視聴覚番組を含む、一つ以上のデジタル出力の信号／ファイルを生成する。図３のところで前述の通り、処理システムとしての「デイリーズ作成パッケージ」システム３０８は一つ以上の内部ＬＵＴを用いることができ、これにより、デジタル出力の信号／ファイルに含まれる対数系の映像を線形系の映像に変換し、また、表示装置としての画像表示器及び観察器３１４に供給されるデジタル出力の信号／ファイルに関して映写フィルムのエミュレーションを適用する。
【００３４】
図５は、図１の工程１６におけるデイリーズの閲覧操作に関して、デイリーズを分配するための作業の流れの要素を示すブロック概略図である。図５のデイリーズの分配の作業の流れは、図３及び図４に示す作業の流れと同一の要素を多く利用しており、同様の参照番号は同様の要素を参照する。図３及び図４に関して前述の通り、ＳＡＮ３００は処理システムとしての「デイリーズ作成パッケージ」システム３０８にデジタル出力の信号／ファイルを供給する。ファイルは映像と音声の双方を含み、典型的には一つ以上の視聴覚番組に結合される。処理システムとしての「デイリーズ作成パッケージ」システム３０８による、かかる処理の過程で、作業者は必要に応じて品質の管理と検証を引き受けることができる。また、前述の通り、ＳＡＮ３００はデジタル出力の信号／ファイルをアーカイブシステム３０２に提供する。アーカイブシステム３０２は、ＳＡＮに格納されたデジタル出力の信号／ファイルの全部又は一部を含む、一つ以上の配送物を作成することができる。
【００３５】
処理システムとしての「デイリーズ作成パッケージ」システム３０８が作成したデジタル出力の信号／ファイルは、一つ以上の視聴覚番組を、一つ以上の形式としての種々の形式３１２で含むことができる。かかるファイルは、表示装置としての画像表示器及び観察器３１４に表示されるデジタルデイリーズを構成する。前述の通り、処理システムとしての「デイリーズ作成パッケージ」システム３０８は一つ以上の内部ＬＵＴを用いることができ、これにより、デジタル出力の信号／ファイルに含まれる対数系の映像を線形系の映像に変換し、表示装置としての画像表示器及び観察器３１４に供給されるデジタル出力の信号／ファイルに関して映写フィルムのエミュレーションを適用する。
【００３６】
処理システムとしての「デイリーズ作成パッケージ」システム３０８が出力するファイルに含まれる視聴覚番組は、典型的にはネットワーク５００経由で転送される。転送を行うネットワーク５００は一つ以上の、公共及び／又は私的ネットワークを含むことができ、種々の型の有線及び／又は無線ネットワークを含むことができる。ネットワークの選択は帯域幅と時間の可用性に依存することになる。ネットワーク５００での転送に先立って、デジタル出力の信号／ファイルに電子透かしを埋め込むこともできる。典型的には、Portable  Media  Package  （ＰＭＰ）のようなソフトウェアを用いて、「Nextamp電子透かし」を実行する電子透かし局（図示されていない）経由で埋め込む。
【００３７】
図６は、図１の工程１６における、製作現場でデイリーズを閲覧するための作業の流れの要素を示すブロック概略図である。図６に示す通り、要求に応じてテクニカラーデイリーズを供給するJPEG  2000サーバー６００は、図３、図４及び図５の処理システムとしての「デイリーズ作成パッケージ」システム３０８が生成するような、閲覧のためのデジタルデイリーズを含む一つ以上の視聴覚番組を含む一つ以上のデジタル出力の信号／ファイルを受け取る。実際には、要求に応じてテクニカラーデイリーズを供給するJPEG  2000サーバー６００が受け取るデジタル出力の信号／ファイルは、JPEG  2000形式で符号化された、未加工未補正の源ファイルの形式を取る。再生を開始するためには、要求に応じてテクニカラーデイリーズを供給するJPEG  2000サーバー６００は防護符号を受け取る必要がある。これは典型的には汎用シリアルバス（ＵＳＢ）フラッシュ記憶装置としてのＵＳＢ鍵６０２経由で入力される。鍵盤（図示されていない）のような、それ以外のデータ入力装置も防護符号の入力に用いることができる。
【００３８】
要求に応じてテクニカラーデイリーズを供給するJPEG  2000サーバー６００は、適切な防護符号をフラッシュ記憶装置としてのＵＳＢ鍵６０２経由で受け取ると、映像が対数形式である一つ以上のデジタル出力の信号／ファイルを、映写／表示装置６０４に表示するために提供することになる。これによりデジタルデイリーズの表示が行われる。映写／表示装置６０４で表示する際に映写フィルムをエミュレートするために、要求に応じてテクニカラーデイリーズを供給するJPEG  2000サーバー６００は、表示装置が信号／ファイルを受け取る前に、デジタル出力の信号／ファイルに含まれる映像を、ＬＵＴ経由で、対数から線形への変換を行うことができる。色の一貫性を保証するために、自動較正システム６０６は映写／表示装置６０４を較正する役に立つことができる。
【００３９】
要求に応じてテクニカラーデイリーズを供給するJPEG  2000サーバー６００は、映写／表示装置６０４でデジタルデイリーズを実時間で閲覧する際に、後工程施設のサーバー（図示されていない）が供給するＣＤＬデータとしての後工程からの／へのＣＤＬ６０７を利用することができる。かかる閲覧の最中に、製作責任者及び／又は撮影監督は、ＣＤＬに変更を加えることができる。この目的のために、ＣＤＬ入力装置としてのＣＤＬパネル６０８が要求に応じてテクニカラーデイリーズを供給するJPEG  2000サーバー６００に接続し、ＣＤＬの修正が可能となる。それ以外の画像修正も、適切な画像修正入力装置（図示されていない）を用いることにより、同様に行うことができる。ＣＤＬ入力装置としてのＣＤＬパネル６０８経由でＣＤＬへの変更が行われた後に、要求に応じてテクニカラーデイリーズを供給するJPEG  2000サーバー６００は、ＣＤＬに対するそれらの変更を、後工程施設のサーバーに、後工程からの／へのＣＤＬ６０７として送信することになる。
【００４０】
図７は、図１の工程２０に関して、試写後の整形及び色補正のための作業の流れの要素を示すブロック概略図である。図７の作業の流れにおいて実行される整形は、映画フィルムを作成するために原カメラネガフィルム（ＯＣＮ）を分割し再配列する従来の手法に対応する。図７の作業の流れにおいて実行される色補正は、各場面の色の釣り合い（例えば焼付け条件の決定）を調整する従来の手法に対応する。図７を参照すれば、第１のファイルサーバー７０２は、典型的には未加工の４：４：４対数形式で、一つ以上のデジタル出力の信号／ファイルをアーカイブシステム３０２より受け取る。実際には、第１のファイルサーバー７０２は、米国カリフォルニア州サンラファエル市のAutodesk社より入手可能なStone  FS高速ファイバーチャネル製品の部分を含む。
【００４１】
整形システム７０４は第１のファイルサーバー７０２が供給するファイルの編集と仕上げを、一つ以上の外部情報源からの編集決定リスト（ＥＤＬ）のデータ及び時間符号情報に従って実行する。実際には、整形システム７０４は、典型的にはAutodesk  FIRE  （商標）  及び／又はAutodesk  SMOKE  （商標）ソフトウェアのような画像仕上げソフトウェアを動作させている一つ以上の処理装置の形を取る。かかるソフトウェア又はその相当品により、整形システム７０４は、例えば編集及び組み立てのような、試写の整形を遂行することが可能になる。編集と仕上げに引き続き、整形システム７０４が信号／ファイルを第１のファイルサーバー７０２に返すのは、第２のファイルサーバー７０６及びアーカイブシステム７０７に転送するためである。第１のファイルサーバー７０２と同様に、第２のファイルサーバー７０４は、米国カリフォルニア州サンラファエル市のAutodesk社より入手可能なStone  FS高速ファイバーチャネル製品の部分を含む。
【００４２】
色調整システム７０８は、色調整前のデジタルデイリーズに付随するＣＤＬデータを用いて、第２のファイルサーバー７０６に格納されているデジタル出力の信号／ファイル（即ち視聴覚作品）について色調整を行う。実際には、色調整システム７０８は、Autodesk  LUSTRE  （商標）ソフトウェアのような色調整ソフトウェアを実行している一つ以上の処理装置を含む。色調整ソフトウェア７０８が作成するデジタル出力の信号／ファイルは、試写サーバー７１０に格納される。
【００４３】
図８は、図１の工程２２における視覚効果の作成に関して、視覚効果付与後の走査のための作業の流れの要素を示すブロック概略図である。視覚効果付与後の作業の流れは、図４について前述した要素の多くを使用し、同様の参照番号は同様の要素を記述する。前述の通り、走査器としてのテレシネ装置４００は、ＯＣＮを走査して、２Ｋと４Ｋの双方の解像度のデジタル出力の信号／ファイルを生成し、ＳＡＮ３００に格納する。２Ｋと４Ｋの解像度の出力の信号／ファイルを供給することに加えて、走査器としてのテレシネ装置４００はまた、走査されたフィルムを識別する走査リストを資産管理システム８００に供給する。資産管理システム８００は典型的にはサーバー（図示されていない）に存するデータベースを含み、視覚効果付与後の走査の過程において種々の活動（典型的にはプロジェクトと呼ばれる）を追跡する。各プロジェクトは特定のフィルム走査に対応する。その目的のために、資産管理システム８００は、かかるフィルム走査と、付随するファイル名との間の関連、及び鍵符号の関係に加え、そのプロジェクトに関連する情報を格納することができる他のサーバーへの接続を含む代理情報を提供することになる。加えて、各プロジェクトについて、資産管理システム８００はまた、視覚特殊効果（ＶＦＸ）を提供することに責任を持つ事業者の身元に関する情報を格納することもできる。更に、資産管理システム８００はまた、一つ以上の外部情報源（図示されていない）からの編集決定リスト（ＥＤＬ）及び／又はＡＬＥデータを取得する能力も持つ。
【００４４】
ＳＡＮ３００に格納されているデジタル出力の信号／ファイルは、図７について述べられた色調整システム７０８経由で色の調整を受けることができる。色調整されたデジタル出力の信号／ファイルは次に映写フィルム用のＬＵＴ８０２経由で映写フィルムをエミュレートする変換を受ける。この目的のために、映写フィルム用のＬＵＴ８０２は、典型的には、デジタル出力の信号／ファイルに付随する映像を、対数から線形に変換することになり、必要ならばＨＤ（高解像度）参照のための映写エミュレーションを適用することになる。遠隔試写システム８０４は、映写フィルム用のＬＵＴ８０２が変換したデジタル出力の信号／ファイル（典型的にはJPEG  2000の形式で存在する）を、インターネットで行うような、ネットワークでの連続遂次再生に適した、インターネットプロトコル用の形式の一つに変換する役割を果たす。
【００４５】
図９は、図１の工程２６に関連して、家庭への配給など向けの一つ以上の視聴覚番組を仕上げるための、デジタル中間ファイル作成後の生成及び仕上げのための作業の流れの要素を示すブロック概略図である。図９の作業の流れは、多くの要素を図２から図８までの作業の流れと共通に持ち、同様の参照番号は同様の要素を記述する。図９の作業の流れは、走査器としてのテレシネ装置４００のようなフィルム走査器を使用して、ＯＣＮを走査して２Ｋと４Ｋの双方の解像度のデジタル出力信号／ファイルを生成する。走査器からの２Ｋのファイルは、典型的には第３のファイルサーバー９００に格納される。第３のファイルサーバー９００は、図７の第１のファイルサーバー７０２及び第２のファイルサーバー７０６と同様に、米国カリフォルニア州サンラファエル市のAutodesk社より入手可能なStone  FS高速ファイバーチャネル製品の部分を含む。走査器としてのテレシネ装置４００からの４Ｋ解像度の出力ファイル／信号は、ファイバーチャネルストーレジ域ネットワーク（ＳＡＮ）９０１に格納され、後にＳＡＮ３００に転送される。ＳＡＮ３００が第１のファイルサーバー７０２及び第２のファイルサーバー７０６に接続を有しているのは、図７について前述した通りである。
【００４６】
前述の通り、走査器としてのテレシネ装置４００は、図８について前述した資産管理システム８００のような資産管理システムが受け取る走査リストを生成する。走査リストは、資産管理システム及び図７の整形システム７０４のような整形システムが受け取る、整形データを含むことができる。整形システム７０４は、整形データを用いて、ＳＡＮ３００から第１のファイルサーバー７０２へ転送されるデジタル出力の信号／ファイルの整形（例えば編集及び仕上げ）を行う。整形システム７０４が生成するデジタル出力の信号／ファイルは、一つ以上の視聴覚番組を含む。これは第１のファイルサーバー７０２に格納され、次にＳＡＮ３００に戻される。
【００４７】
整形が終了したデジタル出力の信号／ファイルは、ＳＡＮ３００から、第２のファイルサーバー７０６のようなファイルサーバーに転送され、次に、図７について前述した色調整システム７０８のような色調整システムに転送され、最終的な色調整を受ける。最終的な色調整の後、デジタル出力の信号／ファイルは、仕上げられたデジタル中間ファイル（視聴覚プログラム）を含んでおり、典型的には、ＬＵＴ９０２経由で、そのファイルに含まれる映像は、一般消費者用途のＤＶＤの原盤を作成するために用いるのに適したＨＤ（高解像度）１０ビット対数のＤＰＸ（Digital  Picture  eXchange）形式に変換される。変換されたデジタル出力の信号／ファイルは、画面溶暗のためのメタデータ９０３を含むことができる。整形が終了したファイルはまた遠隔試写システム９０４に転送され、遠隔地点への連続遂次再生が可能となる。
【００４８】
図９のＳＡＮ３００は、典型的にはThomson  Grass  Valley  “Bones”撮影後工程ソフトウェアフレームワークの一部を含む品質管理局９０５に、接続する。品質管理局９０５を用いて、作業者は、一つ以上の視聴覚番組を含む、ＳＡＮ３００に格納済のデジタル出力の信号／ファイルを使用することができる。これにより、作業者は、かかるファイルに含まれるデジタル音声及び映像のうち少なくとも一つの品質を向上させるために、検査と変更を行う。時間を節約するために、作業者は、色修正の完了を待たずに、品質管理用の見直しを開始することができる。
【００４９】
ＳＡＮ３００は、一つ以上の仕上げられた視聴覚番組をデジタル形式で含むデジタル出力ファイルを、配給のためにデジタル映画館配給原版（ＤＣＤＭ）施設９０６へ送付することができる。すると、ＤＣＤＭ施設９０６は、かかる視聴覚番組をデジタル形式で含むデジタル出力の信号／ファイルを、デジタル映画館９０８のような、一つ以上のデジタル映画館に配給する役割を果たす。ＳＡＮ３００からのデジタル出力の信号／ファイルは、対応するセルロイドのネガフィルムを焼き付けることができる、ＡＲＲＩ社の製品のようなフィルム焼き付け機９１０に転送することもできる。ＳＡＮ３００は、アーカイブシステム３０２に類似なアーカイブシステム７０７に接続しているので、一つ以上の配送物を作成して外部事業者向けに送り出すことができる。
【００５０】
図９に関してこれまで述べたのは、走査器としてのテレシネ装置４００がフィルムを走査して、４Ｋ解像度で出力したデジタル出力ファイルに関する作業の流れであった。前述の通り、走査器としてのテレシネ装置４００は、第３のファイルサーバー９００に格納する２Ｋ解像度のデジタル出力信号／ファイルを作成することもできる。かかるファイルは、４Ｋのデジタル出力ファイルについて述べたのと同様な手法で処理できる。
【００５１】
前述は、少なくとも一つの視聴覚情報をデジタル映画撮影との関連で処理するシステムと方法を記述している。
【図面の簡単な説明】
【００５２】
【図１】本願の原理の例示的な実施例により、視聴覚番組を作成するための作業の流れの要素を示す流れ図である。
【図２】本願の原理の例示的な実施例による、デジタル映画撮影のための作業の流れに関する要素のブロック概略図である。
【図３】本願の原理の例示的な実施例による、デジタル映像カメラにより記録された画像からデジタルデイリーズを作成するデジタル映画撮影のための作業の流れに関する要素のブロック概略図である。
【図４】本願の原理の例示的な実施例による、フィルムカメラにより記録された画像からデイリーズを作成するための作業の流れに関する要素のブロック概略図である。
【図５】本願の原理の例示的な実施例による、デジタルデイリーズを作成し品質管理を実現するための作業の流れに関する要素のブロック概略図である。
【図６】本願の原理の例示的な実施例による、制作現場でデイリーズを閲覧するための作業の流れに関する要素のブロック概略図である。
【図７】本願の原理の例示的な実施例による、試写後の整形及び色補正のための作業の流れに関する要素のブロック概略図である。
【図８】本願の原理の例示的な実施例による、視覚効果付与後の走査のための作業の流れに関する要素のブロック概略図である。
【図９】本願の原理の例示的な実施例による、デジタル中間ファイル作成後の生成及び仕上げのための作業の流れに関する要素のブロック概略図である。
【図１】
2009527189.tif 000003
【図２】
2009527189.tif 000004
【図３】
2009527189.tif 000005
【図４】
2009527189.tif 000006
【図５】
2009527189.tif 000007
【図６】
2009527189.tif 000008
【図７】
2009527189.tif 000009
【図８】
2009527189.tif 000010
【図９】
2009527189.tif 000011
【国際調査報告】
2009527189.tif 000012
2009527189.tif 000013
2009527189.tif 000014